(57)【要約】【課題】椅子の肘掛けの揺らぎ、ぐらつきを適切に抑止する。【解決手段】椅子本体１のフレーム１１に肘掛け２の端部を剛結している椅子Ｃにおいて、前記フレーム１１における露出部位と前記肘掛け２の端部近傍部位とを接合する接合部材２３を設けて、肘掛け２の揺らぎやぐらつきを抑止するようにした。【選択図】図３
2007202967.tif 000002
【特許請求の範囲】
【請求項１】
椅子本体のフレームに肘掛けの端部を剛結している椅子であって、
前記フレームにおける露出部位と前記肘掛けの端部近傍部位とを接合する接合部材を設けていることを特徴とする椅子。
【請求項２】
前記フレームの露出部位と前記肘掛けの端部近傍部位とが離間して対向しており、その間隙に前記接合部材を配設して両者を接合している請求項１記載の椅子。
【請求項３】
複数基をスタッキング可能であって、
前記フレームの露出部位及び前記肘掛けの端部近傍部位は、スタッキング時には前後方向に隣接するように位置づけられ、
前記接合部材は、幅方向または上下方向に延伸して前記フレームと前記肘掛けとの各々に接合しており、
スタッキングに際して前記接合部材が他の椅子に干渉しない請求項１または２記載の椅子。
【請求項４】
前記フレームは、少なくとも座を支持する脚を備え、
前記肘掛けは、着座者の肘を載せ置くことのできる肘当てと、前記脚に対して略平行に伸長し肘当てを下方より支持する支柱とを備えており、
前記支柱の下端部を前記脚に向けて湾曲ないし屈曲させて脚の外周に剛結している請求項１、２または３記載の椅子。
【請求項５】
前記脚、前記支柱はそれぞれ略同径の金属パイプ材を曲げ加工してなるものであり、それらに金属製の前記接合部材を溶接している請求項４記載の椅子。
【発明の詳細な説明】
【技術分野】
【０００１】
本発明は、肘掛けを具備する椅子に関し、特にミーティングルーム等において使用される会議用椅子に関する。
【背景技術】
【０００２】
金属パイプ材を主体としたフレームに座や背凭れを支持させてなる会議用椅子が公知である。この種の椅子は、非使用時に複数基をスタッキングして省スペースの収納が可能になっていることが多い（例えば、下記特許文献を参照）。
【特許文献１】特開２００５−０６５７６４号公報
【発明の開示】
【発明が解決しようとする課題】
【０００３】
上記例の如き会議用椅子は、ハイエンドクラスの執務用椅子と比較して簡潔な構造を有している。そして、その椅子本体に肘掛けを備え付けるにあたっても、肘掛けの端部をフレームに溶接しまたはボルトを用いて締結するといった単純な取り付けがなされるのが通例である。
【０００４】
だが、このようなものであると、肘掛けに大きな荷重が加わったときにこれが揺らいだりぐらついたりすることがあり、着座時の安定感を損ねることにつながっていた。とりわけ、肘当てを支持する肘桿が長尺形状で、椅子本体に固定している端部と肘当てとの距離が大きいほど、肘掛けの安定は難しくなる。
【０００５】
以上に鑑みてなされた本発明は、椅子の肘掛けの取付強度を向上させ、肘掛けの揺らぎ、ぐらつきを適切に抑止することを所期の目的としている。
【課題を解決するための手段】
【０００６】
上述した課題を解決するべく、本発明では、椅子本体のフレームに肘掛けの端部を剛結している椅子にあって、前記フレームにおける露出部位と前記肘掛けの端部近傍部位とを接合する接合部材を設けて、肘掛けの揺らぎやぐらつきを抑止することとした。
【０００７】
前記フレームの露出部位と前記肘掛けの端部近傍部位とが離間して対向しており、その間隙に前記接合部材を配設して両者を接合していれば、肘掛けをフレームに頑強に連結しつつも接合部材の存在を目立たなくすることができる。
【０００８】
複数基をスタッキング可能な椅子に対して本発明を適用する場合、前記接合部材を、スタッキングに際して他の椅子に干渉しない箇所に配設する。前記フレームの露出部位及び前記肘掛けの端部近傍部位が、スタッキング時に前後方向に隣接するように位置づけられるのであれば、前記接合部材を、幅方向または上下方向に延伸して前記フレームと前記肘掛けとの各々に接合するものとして、スタッキングの妨げとならないようにすることが好ましい。
【０００９】
前記フレームが、少なくとも座を支持する脚を備え、前記肘掛けが、着座者の肘を載せ置くことのできる肘当てと、前記脚に対して略平行に伸長し肘当てを下方より支持する支柱とを備えており、前記支柱の下端部を前記脚に向けて湾曲ないし屈曲させて脚の外周に剛結しているならば、背凭れを脱着できる態様の椅子、または背凭れが存在しない態様の椅子を構成することが可能である。
【００１０】
前記脚、前記支柱がそれぞれ略同径の金属パイプ材を曲げ加工してなるものであり、それらに金属製の前記接合部材を溶接していれば、接合部材の取り付けのためにボルトを使用せずに済み、ボルト孔の成形加工が不要で、しかも外観に統一感を持たせることができる。
【発明の効果】
【００１１】
本発明によれば、椅子の肘掛けの取付強度が向上し、揺らぎ、ぐらつきを適切に抑止し得る。
【発明を実施するための最良の形態】
【００１２】
以下、本発明の一実施形態を、図面を参照して説明する。本実施形態の椅子Ｃは、ミーティングルーム等に配備されて使用される会議用椅子であり、図１ないし図４に示すように、フレーム１１に座１２及び背凭れ１３を支持させてなる椅子本体１の左右両側に肘掛け２を備え付けたものである。
【００１３】
詳述すると、フレーム１１は、金属パイプ材を曲げ加工して作製したもので、椅子本体１の後端近傍において上下に伸長する（図示例では、やや前傾している）後脚１１１の下端部を前方に曲げて前後に伸長するベース１１２とし、このベース１１２の前端部を一旦内側方に偏倚させてからさらに上方に曲げて上下に伸長する前脚１１３としている。そして、後脚１１１の上端部に連続させて背凭れ取付端１１５を設定している。加えて、前脚１１３の上端部を後方に曲げて前後に伸長する座受１１４を設けている。
【００１４】
前脚１１３、後脚１１１、ベース１１２、座受１１４及び背凭れ取付端１１５は左右に対をなす。これらは、左右の座受１１４の前端部間及び後端部間をそれぞれ横架材（前側の横架材１１６、後側の横架材は図示せず）を以て連結することで一体化してある。横架材は、板金部材または金属パイプ材であり、溶接により固定する。なお、後側の横架材の両端部は、座受１１４のみならず左右の後脚１１１にも連接している。因みに、左右の前脚１１３の幅方向の離間距離は、左右の後脚１１１のそれと比較して多少狭い。
【００１５】
座１２は、硬質樹脂製の座枠体１２１に弾性ネット１２２を張り設けて座面を形成したものであり、座受１１４上に載置して支持させる。
【００１６】
背凭れ１３もまた、座１２と同様、硬質樹脂製の背枠体１３１に弾性ネット１３２を張り設けて背凭れ面を形成したものであり、背凭れ取付端１１５に上から被せるようにして取り付ける。
【００１７】
肘掛け２は、着座者の肘を載せ置くことのできる肘当て２２を肘桿２１に下方より支持させてなる。肘桿２１は、フレーム１１と略同径の金属パイプ材を曲げ加工して作製したもので、後脚１１１に対して略平行に上下に伸長する後支柱２１１の上端部を一旦外側方に偏倚させてからさらに前方に曲げて前後に伸長する支持軸２１２とし、この支持軸２１２の前端部を下方に曲げて上下に伸長する前支柱２１３としている。
【００１８】
肘当て２２は、硬質樹脂成形品であり、肘桿２１の支持軸２１２に装着して所定高さ位置に支持させている。
【００１９】
しかして、肘桿２１の端部、即ち後支柱２１１の下端部及び前支柱２１３の下端部をフレーム１１に剛結する。具体的には、後支柱２１１の下端部を内側方に曲げて後脚１１１の外周面に突き当てて溶接し、かつ前支柱２１３の下端部を内側方に曲げてベース１１２の外周面に突き当てて溶接している。フレーム１１に剛結した肘桿２１は、フレーム１１よりも外側に位置する。特に、後脚１１１と後支柱２１１とは幅方向に離間して対向しており、両者は側面視少なくとも一部で重なり合っている。
【００２０】
その上で、本実施形態では、図３及び図５に示すように、フレーム１１における露出部位と肘桿２１の端部近傍部位とを接合部材２３を介して接合し、肘掛け２の揺らぎやぐらつきを抑制している。フレーム１１の露出部位とは、他の部材によって遮蔽されず接合部材２３を直接的に接合可能な部位をいい、図示例では後脚１１１の上端部がこれに該当する。既に述べたように、背凭れ１３は背凭れ取付端１１５に被せるようにして取り付けてあり、背凭れ１３の周縁にはフレーム１１が露出している部分が存在しない。よって、背凭れ１３の下縁よりも下方に突き出している部位即ち後脚１１１に、肘桿２１と接合部材２３とを接合している。
【００２１】
接合部材２３は、幅方向及び上下方向に延伸する例えば金属製の板状体である。そして、その一端縁をフレーム１１側に溶接し、他端縁を肘桿２１側に溶接する。図示例では、後脚１１１と後支柱２１１とがなす間隙に接合部材２３を配設して両者を接合している。間隙に配設する接合部材２３の数は、一個でも複数個でもよい。
【００２２】
肘掛け２及び接合部材２３が左右に対をなしていることは言うまでもない。因みに、左右の前支柱２１３の幅方向の離間距離は、左右の後支柱２１１のそれと比較して多少広い。
【００２３】
本実施形態の椅子Ｃは、複数基をスタッキングすることが可能である。複数基の椅子Ｃをスタッキングした状態を、図６及び図７に示す。スタッキング時、各椅子Ｃにおける後脚１１１及び肘掛け２の後支柱２１１は前後方向に隣接するように位置づけられる。故に、後脚１１１と後支柱２１１との間隙に配設した接合部材２３がスタッキングの妨げとなることはない。
【００２４】
本実施形態によれば、椅子本体１のフレーム１１に肘掛け２の端部を剛結している椅子Ｃにあって、前記フレーム１１における露出部位である後脚１１１と前記肘掛け２の後支柱２１１の端部近傍部位とを接合する接合部材２３を設けたため、肘掛け２の取付強度が向上し、肘掛け２の揺らぎ、ぐらつきを適切に抑止し得る。
【００２５】
前記後脚１１１と前記後支柱２１１の端部近傍部位とが離間して対向しており、その間隙に前記接合部材２３を配設して両者を接合しているため、肘掛け２をフレーム１１に頑強に連結しつつも接合部材２３の存在を目立たなくすることができる。
【００２６】
前記接合部材２３を、椅子Ｃのスタッキングに際して他の椅子Ｃに干渉しない箇所に配設している。より詳しくは、前記後脚１１１及び前記後支柱２１１がスタッキング時には前後方向に隣接するように位置づけられ、前記接合部材２３は幅方向または上下方向に延伸して前記後脚１１と前記後支柱２１１との各々に接合するものとして、接合部材２３がスタッキングの妨げとならないようにしている。従って、非使用時に複数基の椅子Ｃをスタッキングして省スペースの収納が可能になる。
【００２７】
前記フレーム１１が、少なくとも座１２を支持する脚１１１を備え、前記肘掛け２が、着座者の肘を載せ置くことのできる肘当て２２と、前記脚１１１に対して略平行に伸長し肘当て２２を下方より支持する支柱２１１とを備えており、前記支柱２１１の下端部を前記脚１１１に向けて湾曲ないし屈曲させて脚１１１の外周に剛結しているため、背凭れ１３を脱着できる態様の椅子Ｃ、または背凭れ１３が存在しない態様の椅子Ｃを構成することも可能となっている。
【００２８】
前記脚１１１、前記支柱２１１がそれぞれ略同径の金属パイプ材を曲げ加工してなるものであり、それらに金属製の前記接合部材２３を溶接しているため、接合部材２３の取り付けのためにボルトを使用せずに済み、ボルト孔の成形加工が不要で、しかも外観に統一感を持たせることができる。
【００２９】
なお、本発明は以上に詳述した実施形態に限られるものではない。特に、接合部材の形状は、上記実施形態の如き板状体であるとは限られない。例えば、図８に示すように、幅方向に延伸する金属パイプ材２３ｘを接合部材としてもよい。あるいは、図９に示すように、側断面視略∩字型、略Π字型または略Λ字型（のチャネル状またはアングル状）をなすように成形した金属板２３ｙを接合部材としてもよい。
【００３０】
また、接合部材の配設箇所も、フレーム１１と肘桿２１との間隙には限定されない。例えば、図１０に示すように、接合部材２３ｚを肘桿２１（後支柱２１１）の下端部よりも下方に配設して、これをフレーム１１（後脚１１１）と肘桿２１との双方に接合するようにしても構わない。このときにも、接合部材２３は椅子Ｃのスタッキングの妨げとはならない。
【００３１】
加えて、上記実施形態では、肘掛け２の基端部近傍（後支柱２１１の下端部近傍）とフレーム１１（の後脚１１１）とを接合部材２３を介して接合していたが、肘掛け２の先端部近傍（前支柱２１３の下端部近傍）とフレーム１１（のベース１１２）との間に接合部材を介設してこれらを相互に接合してもよい。肘掛け２の基端部近傍、先端部近傍の両方に接合部材を配設することも当然に考えられる。
【００３２】
その他各部の具体的構成は上記実施形態に限られるものではなく、本発明の趣旨を逸脱しない範囲で種々変形が可能である。
【図面の簡単な説明】
【００３３】
【図１】本発明の一実施形態の椅子を示す斜視図。
【図２】同椅子の背凭れを取り外している状態を示す斜視図。
【図３】同椅子の正面図。
【図４】同椅子の側面図。
【図５】同椅子のフレーム、肘桿及び接合部材を示す要部平断面図。
【図６】同椅子をスタッキングした状態を示す正面図。
【図７】同椅子をスタッキングした状態を示す正面図。
【図８】本発明の変形例の一を示す要部斜視図。
【図９】本発明の変形例の一を示す要部斜視図。
【図１０】本発明の変形例の一を示す正面図。
【符号の説明】
【００３４】
Ｃ…椅子
１…椅子本体
１１…フレーム
１１１…脚（後脚）
２…肘掛け
２１１…支柱（後支柱）
２２…肘当て
２３…接合部材
【図１】
2007202967.tif 000003
【図２】
2007202967.tif 000004
【図３】
2007202967.tif 000005
【図４】
2007202967.tif 000006
【図５】
2007202967.tif 000007
【図６】
2007202967.tif 000008
【図７】
2007202967.tif 000009
【図８】
2007202967.tif 000010
【図９】
2007202967.tif 000011
【図１０】
2007202967.tif 000012